(57)【要約】【課題】リクライニングさせた背もたれの後方突出量を抑えることができて、設置に必要なスペースを小さくできるものとする。【解決手段】マッサージ機構を内蔵する背もたれ１２と、座部１１とを備えるとともに、背もたれ１２がリクライニング自在である。背もたれ１２のリクライニング動作に伴って座部１１の背もたれ１２寄りである後端側を引き下げる連動機構１４，１３を備える。背もたれを倒していけば座部の後端側が下がっていくために、背もたれにおける座部よりも上方に位置する部分が大きくなる。【選択図】図１
2005334284.tif 000002
【特許請求の範囲】
【請求項１】
マッサージ機構を内蔵する背もたれと、座部とを備えるとともに、背もたれがリクライニング自在となっているマッサージ椅子において、背もたれのリクライニング動作に伴って座部の背もたれ寄りである後端側を引き下げる連動機構を備えていることを特徴とするマッサージ椅子。
【請求項２】
マッサージ機構は背もたれに沿って上下移動自在なものであることを特徴とする請求項１記載のマッサージ椅子。
【請求項３】
マッサージ機構は背もたれの下端を非マッサージ動作時の収納位置としているものであることを特徴とする請求項２記載のマッサージ椅子。
【請求項４】
連動機構は背もたれのリクライニング動作における倒れ始めである初期の座部後端引き下げ量をリクライニング動作後期の引き下げ量よりも大としているものであることを特徴とする請求項１〜３のいずれか１項に記載のマッサージ椅子。
【発明の詳細な説明】
【技術分野】
【０００１】
本発明は、マッサージ椅子、殊にマッサージ機構を内蔵する背もたれがリクライニング自在となっているマッサージ椅子に関するものである。
【背景技術】
【０００２】
従来からマッサージ機構を内蔵する背もたれをリクライニングさせることができるマッサージ椅子が提供されているが、マッサージすることができる施療範囲を上下に広くとると、背もたれの高さが高くなり、リクライニングさせた時に背もたれの上端が後方に大きく突出する。
【０００３】
このために設置スペースが広くないと、背もたれを大きく倒した状態で使用することができない。
【特許文献１】特開２００４−１６５１５号公報
【発明の開示】
【発明が解決しようとする課題】
【０００４】
本発明は上記の従来の問題点に鑑みて発明したものであって、その目的とするところは、背もたれに内蔵したマッサージ機の施療範囲を上下に広くとった場合にも、リクライニングさせた背もたれの後方突出量を抑えることができて、設置に必要なスペースを小さくすることができるマッサージ椅子を提供することを課題とするものである。
【課題を解決するための手段】
【０００５】
上記課題を解決するために本発明に係るマッサージ椅子は、マッサージ機構を内蔵する背もたれと、座部とを備えるとともに、背もたれがリクライニング自在となっているマッサージ椅子であり、背もたれのリクライニング動作に伴って座部の背もたれ寄りである後端側を引き下げる連動機構を備えていることに特徴を有している。
【０００６】
背もたれを倒していけば、座部の後端側が下がっていくために、背もたれにおける座部よりも上方に位置する部分が大きくなるようにしたものである。
【０００７】
上記マッサージ機構は背もたれに沿って上下移動自在なものであることが好ましく、特に背もたれの下端を非マッサージ動作時の収納位置としているものが好ましい。
【０００８】
そして連動機構は背もたれのリクライニング動作における倒れ始めである初期の座部後端引き下げ量をリクライニング動作後期の引き下げ量よりも大としているものであることが、実際にマッサージ動作を行わせる時の背もたれの角度を考えると好ましい。
【発明の効果】
【０００９】
本発明は、背もたれを倒していけば、座部の後端側が下がっていくために、背もたれにおける座部よりも上方に位置する部分が大きくなるものであり、このために背もたれの高さを高くしなくても、背もたれに内蔵したマッサージ機の施療範囲を上下に広くとることができるものであり、これに伴ってリクライニングさせた背もたれの後方突出量を抑えることができて、設置に必要なスペースを小さくすることができる。
【発明を実施するための最良の形態】
【００１０】
以下、本発明を添付図面に示す実施形態に基いて説明すると、図２及び図３において、１１は座部、１２は背もたれであり、背もたれ１２は上下移動自在に配設されたマッサージ機構３を備えている。
【００１１】
上記座部１１は、その前端寄りの部分が軸Ａ１によって側部フレーム１８に連結されることで、軸Ａ１を中心に上下に回動自在となっている。また上記背もたれ１２は、下部から後方に向けて突出されたヒンジ板１３の中程を軸Ａ２によって側部フレーム１８に連結されることで軸Ａ２を中心に回動自在となっているもので、上記ヒンジ板１３の後端には軸Ａ４によってリンクプレート１４の後端が回動自在に連結され、さらに前記座部１１の後端が軸Ａ３によって上記リンクプレート１４の前端に回動自在に連結されている。なお、軸Ａ３及び軸Ａ４は軸Ａ２よりも上方に位置するように構成されている。
【００１２】
そして、座部１１における上記軸Ａ１よりも前方に位置する部分と、背もたれ１２の下端とが伸縮ユニット２によって連結されており、該伸縮ユニット２の伸縮により、このマッサージ椅子１は背もたれ１２のリクライニング動作と、これに連動する座部１１の回動動作とを行う。
【００１３】
すなわち、背もたれ１２が起きている状態では、図１に示すように、座部１１はほぼ水平状態を保っているが、伸縮ユニット２を縮めて背もたれ１２を倒していくと、ヒンジ板１３の回動で軸Ａ４の位置が下がるために、リンクプレート１４が座部１１の後端を引き下げていくものであり、最後には軸Ａ４と軸Ａ１とをつなぐ線上に軸Ａ３が接近する。
【００１４】
つまり、背もたれ１２を倒していく時、座部１１の後端側が下がっていくものであるとともに、背もたれ１２の倒し始めにおいては、座部１１の後端側が大きく下がるのに対して、背もたれ１２を更に倒していくと、座部１１の後端側の下がり量が少なくなる。
【００１５】
ここにおいて、背もたれ１２に内蔵させたマッサージ機構３は、背もたれ１２の上下方向のほぼ全長にわたる範囲を上下移動して、マッサージ椅子１に座った非施療者の背中や肩に対するマッサージを行うものであるが、背もたれ１２を倒していくと、座部１１の後端が下がることで、背もたれ１２における座部１１よりも上方に位置する部分が増えていくものであり、これは実際上、マッサージ機構３によって施療することができる上下範囲が広くなったことになる。
【００１６】
また、マッサージ機構３によるマッサージは、背もたれ１２を大きく傾けた状態で行うのではなく、途中まで傾けた状態（たとえば図１で１点鎖線で示した状態）で行うことが多いが、背もたれ１２を倒していく時の座部１１の後端側の降下量が上述のように初期が大きくなるようにしているために、背もたれ１２の有効上下長（マッサージの有効上下範囲）を広くすることはリクライニング動作の初期に殆どがなされるものである。
【００１７】
また、逆に言えば、背もたれ１２を起こしている時には、背もたれ１２の下部のかなりの部分が座部１１よりも下方に位置するために、背もたれ１２に内蔵させたマッサージ機構３の非マッサージ動作時の収納位置を背もたれ１２の下端部とする時、マッサージ機構３の背もたれ１２前面側への突出部は座部１１の下方に隠れてしまうことになり、上記突出部が座部１１への着座時に違和感を感じさせる存在となることがないものである。
【図面の簡単な説明】
【００１８】
【図１】本発明の実施の形態の一例の説明図である。
【図２】同上の一部を省略した斜視図である。
【図３】同上の側面図である。
【符号の説明】
【００１９】
１  マッサージ椅子
３  マッサージ機構
１１  座部
１２  背もたれ
【図１】
2005334284.tif 000003
【図２】
2005334284.tif 000004
【図３】
2005334284.tif 000005